【事件の表示】
　上記当事者間の特許第４４７３０９５号発明「金属製棚及び金属製ワゴン」の特許無効審判事件について、次のとおり審決する。
【結　論】
　本件審判の請求は、成り立たない。
　審判費用は、請求人の負担とする。
【理　由】
第１　手続の経緯
　本件特許第４４７３０９５号（請求項の数［５］、以下、「本件特許」という。）は、平成１６年１０月２７日に特許出願された特願２００４−３１２２５９号に係るものであって、その請求項１〜５に係る発明について、平成２２年３月１２日に特許の設定登録がなされた。
　
　これに対して、平成２４年５月１日差出で、本件特許の請求項１、２に係る発明の特許に対して、本件無効審判請求人（以下「請求人」という。）により本件無効審判〔無効２０１２−８０００６９号〕が請求されたものであり、本件無効審判被請求人（以下「被請求人」という。）により指定期間内の同年７月１８日付けで審判事件答弁書が提出されたものである。
　
　また、同年１１月１日付けで請求人より口頭審理陳述要領書、及び手続補正書が提出され、同年１１月２日付けで被請求人より口頭審理陳述要領書が提出され、被請求人より同年１１月１５日付けで口頭審理陳述要領書（差し替え）、及び手続補正書が提出され、同年１１月１５日に口頭審理が行われたものである。
　
　
第２　当事者の主張
　
１．請求人の主張、及び提出した証拠の概要
　請求人は、特許第４４７３０９５号の特許請求の範囲における請求項１及び２についての特許を無効とする、審判費用は被請求人の負担とする、との審決を求め、審判請求書、平成２４年１１月１日付け口頭審理陳述要領書及び手続補正書、同年１１月１５日の口頭審理において、甲第１〜１２の３の４号証を提示し、以下の無効理由を主張した。
　なお、平成２４年１１月１５日の口頭審理において、甲第４，５号証、及び、審判請求書「（３）．無効審判請求の根拠」に記載した「甲第４号証」、「甲第５号証」に係る主張は撤回された。
　
［無効理由１］
　本件特許の請求項１に係る発明は、甲第３号証の金属製棚に、甲第８号証又は甲第９号証若しくは甲第２号証を単独で又は組み合わせて適用することで容易に発明できたものであり、特許法第２９条第２項の規定によって特許を受けることができなかったものであり、よって、特許法第１２３条第１項第２号に該当し、無効とされるべきものである。
　
［無効理由２］
　本件特許の請求項２に係る発明は、本件の請求項１に係る発明と同じ理由で容易に発明できたものであり、特許法第２９条第２項の規定によって特許を受けることができなかったものであり、よって、特許法第１２３条第１項第２号に該当し、無効とされるべきものである。 
　
［証拠方法］
　甲第１号証：実公平７−５３５４２号公報
　甲第２号証：特開２０００−６０６５６号公報
　甲第３号証：実公平３−３００２４号公報
　甲第４号証：実公昭４１−２７７４号公報
　甲第５号証：実願昭５７−１１５５３４号（実開昭５９−２００１４号）のマイクロフィルム
　甲第６号証：特開平５−１１９８１８号公報
　甲第７号証：特開平７−５１７５１号公報
　甲第８号証：実公昭５６−２７７９３号公報
　甲第９号証：米国特許明細書４３５１２４６号
　甲第１０号証：特開平９−１１７３２７号公報
　甲第１１号証：登録実用新案第３０４９５９０号公報(ＣＤ−ＲＯＭ)
　甲第１２号証の１：’９７サカエ　工場器具・工場機器・事務所器具　総合カタログＮｏ．２　表紙、「１４１〜２２２」と表示された頁、第１４４〜１４５頁
　甲第１２号証の２：’９７サカエ　工場器具・工場機器・事務所器具　総合カタログＮｏ．２　第１４４頁左上
　甲第１２号証の３の１〜４：スーパーワゴンＳＲ−６００を撮影した写真の写し
　
２．被請求人の主張
　これに対して、被請求人は、平成２４年７月１８日付けで審判事件答弁書、同年１１月２日付け口頭審理陳述要領書、同年１１月１５日付け口頭審理陳述要領書（差し替え）、及び同日付け手続補正書を提出し、同年１１月１５日の口頭審理において、本件審判請求は成り立たない、審判費用は請求人の負担とするとの審決を求め、請求人の無効理由に対して以下のように反論した。
　
［無効理由に対する反論］
　本件審判の請求には理由がない、審判費用は被請求人の負担とする、との審決を求める。
　
　
第３　本件に係る発明
　
　請求人が無効とする審決を求める請求項１〜２に係る発明は、本件特許における特許請求の範囲の請求項１〜２に記載された事項により特定される以下のとおりのものである。（Ａ：〜Ｊ：の文字は当審で付与。）
　
「【請求項１】
Ａ：複数枚の直角四辺形の金属製棚板と、山形鋼で作られた４本の支柱とからなり、各棚板の四隅のかど部を支柱の内側面に当接し、ボルトにより固定して組み立てることとした金属製棚において、
Ｂ：上記棚板は直角四辺形の箱底の四辺に側壁と内接片とがこの順序に連設されていて、
Ｃ：各側壁が箱底のかどから支柱の幅の長さ分だけ切欠された形状に金属板を打ち抜き、
Ｄ：内接片を折り返して側壁に重ね合わせるとともに、内接片が箱の内側へくるように側壁を起立させて浅い箱状体としたものであって、
Ｅ：側壁の切欠部内に延出している内接片を支柱の内側に当接し、
Ｆ：切欠によって作られた側壁の側面で支柱の両側面を挟み、
Ｇ：内接片を支柱にボルトにより固定する
Ｈ：ことを特徴とする、金属製棚。」（以下、「本件発明１」という。）
「【請求項２】
Ａ：複数枚の直角四辺形の金属製棚板と、山形鋼で作られた４本の支柱とからなり、各棚板の四隅のかど部を支柱の内側面に当接し、ボルトにより固定して組み立てることとした金属製棚において、
Ｂ：上記棚板は直角四辺形の箱底の四辺に側壁と内接片とがこの順序に連設されていて、
Ｃ：各側壁が箱底のかどから支柱の幅の長さ分だけ切欠された形状に金属板を打ち抜き、
Ｄ：内接片を折り返して側壁に重ね合わせるとともに、内接片が箱の内側へくるように側壁を起立させて浅い箱状体としたものであって、
Ｅ：側壁の切欠部内に延出している内接片を支柱の内側に当接し、
Ｆ：切欠によって作られた側壁の側面で支柱の両側面を挟み、
Ｇ２：内接片を支柱にボルトにより固定し、
Ｉ：各支柱の下方にキャスターを付設して金属製棚を移動可能とした
Ｊ：ことを特徴とする、金属製ワゴン。」（以下、「本件発明２」という。）
　
　
第４　無効理由についての当審の判断
　
１．無効理由１について
　
（１）甲第１〜甲１２の３の４号証の記載事項
　ア．甲第１号証の記載事項
　本件特許出願前に頒布された刊行物である甲第１号証には、棚のコーナー補強金具に関して、次の事項が記載されている。
　（ア）「【０００２】
【従来の技術】従来、アングルを用いた支柱に棚の各コーナーを取付けるには、支柱の両片に等間隔を存して設けてある所定位置の透孔と棚板の各辺縁から連なって下向きに折れ曲がる各周側板の両端に設けてある透孔とを一致させ、そして、一致した透孔にボルトを挿通すると共に、ボルトにナットをねじ込む。
【０００３】このような取付け方法によると、支柱に対して周側板の端を一点で支持するため、強度の点で問題があると共に、棚板の重量の大きいものをのせると、支柱が揺れ動く問題があった。」
　
　イ．甲第２号証の記載事項
　本件特許出願前に頒布された刊行物である甲第２号証には、金属板製棚及び金属板製ワゴンに関して、次の事項が記載されている。
　（ア）「【請求項１】  金属板を折曲して直角四辺形の浅い箱状に成形した複数枚の棚板と、金属板をアングル状に折曲して作られた４本の支柱とからなり、各棚板の四隅のかど部を支柱の内側面に当接し、ボルトにより固定して組み立てた金属板製棚において、各棚板の厚み方向に延びる各縁片の外側に金属板の小片を付設し、支柱の側面を金属板小片の厚み方向の側面に密接させ、支柱の両側面を金属板小片の上記側面により挟むようにしたことを特徴とする、金属板製棚。
・・・
【請求項３】  金属板小片が棚板の厚み方向に延びる各縁片の先端部分を外側へ折り返して付設され、棚板の四隅に位置する折り返し片の端を支柱の幅に等しい矩形部分を切り取ることによって、支柱の側面に密接する金属板小片の厚み方向の側面が形成されていることを特徴とする、請求項１又は２に記載の金属板製棚又は金属板製ワゴン。」
　（イ）「【０００５】そのため、これまでの金属板製棚は、図１に示したようにして組み立てられて来た。図１において、金属板製棚は、４本の支柱Ａと３枚の棚板ＢとをボルトＣで結合して組み立てられている。支柱Ａは、金属板をアングル状に折曲したものであり、棚板Ｂは金属板を直角四辺形の浅い箱状に折曲したものである。棚板Ｂの四隅に支柱Ａを立て、棚板Ｂの四隅のかどを支柱のアングル内面に密接させ、密接面をボルトＣで固定して、棚とするのである。
【０００６】この種の棚では、組み立て作業を簡単にするために、図２に示したように、ボルトＣは１つの隅について２個ずつ使用するものとされた。すなわち、支柱Ａの各面に１つの棚板に対してボルトＣをただ１個使用して、これをナットで止めるものとされた。これは、支柱Ａの各面には複数個のボルトＣを使用するだけの広さもなかったことにも基因している。
【０００７】棚板Ｂは浅い箱状にされているので、側壁に該当する部分の先端が手を傷つけるおそれがあった。その場合には、その先端を丸めるために先端を折り返すことも行われた。しかし、その場合の折り返しは、箱状体の内側へ折り返されるだけであって、外側へ折り返されることはなかった。また、その折り返しは極めて幅の狭いものであった。
【０００８】図１に示したようにして組み立てられた金属板製棚は、棚上に物を載せるとき、横方向からの力が加えられると、支柱が傾き易いという欠点があった。この欠点は支柱の下方にキャスターを付設して、金属板製棚をワゴンとして使用するときに一層顕著に現れた。すなわち、金属板製ワゴンに物品を載せて移動させようとすると、僅かな力で押しただけで支柱が傾いて、ワゴンの形が歪むという欠点があった。」
　（ウ）「【００１１】
【課題を解決するための手段】この発明者は、上述の欠点を棚板の改良によって解消しようと企てた。この発明者は、棚板が浅い箱状を呈しているので、箱の側壁にあたる先端部分を外側へ折り返し、折り返し部分を四隅のかどで切欠して、折り返し部分の切欠端が丁度支柱の側面に当たるようにしておくと、この棚板を従来通りボルトで止めるだけで、支柱の傾きを完全に防止できることを見出した。この発明は、このような知見に基づいて完成されたものである。」
　（エ）「【００１７】こうして作られた浅い箱状体は、その後四隅のかど部の側壁にあたる部分に、支柱との結合用ボルト孔があけられて、この発明で用いることのできる棚板１となる。この棚板１は、四隅のかど部の構造に特徴を持つので、そのかど部を拡大して示すと図５に示したようになる。
【００１８】図５に示された棚板１は平板１１を底とし、縁片１２、１３を側壁とする浅い箱状を呈している。折り返し片１６、１７の幅ｙは縁片１２、１３の幅ｘよりも僅かに小さくされているから、縁片１２、１３に沿って外側へ折り返された折り返し片１６、１７は、縁片１２、１３の少なくとも上半分を覆っており、折り返し片１６、１７の下端は縁片１２、１３の下端より僅か上方に位置している。折り返し片１６、１７は、棚の隅のところで長さｚの矩形部分だけ切欠されているから、一辺がｚの矩形部分だけ縁片１２、１３が露出している。各露出部分の中央に、前述のボルト孔４１、４２が設けられている。
【００１９】他方、支柱６は、アングル状を呈し、直交する２片６１、６２からなり、各片６１、６２は等しい幅を持っている。この幅は長さｚとされているから、支柱６を棚板１のかど部に当接すると、図６に示したように支柱６の側面６３、６４は、折り返し片１６、１７の切断によって生じた側面１６１、１７１にそれぞれ密接することとなる。こうして、支柱６はその両側面６３と６４とにおいて折り返し片１６、１７の間に挟まれることになる。この状態でボルト孔を合わせ、そこにボルトを通しナットを嵌めて、支柱６と棚板１とを接続する。
【００２０】こうして棚板１と支柱６とをボルトで固定すると、図６に示したように、支柱６は折り返し片１６、１７の間に密接して挟まれることとなる。このとき、折り返し片１６、１７の幅が縁片１２と１３の幅の半分以上を覆うようにすれば、支柱６の両側面６３、６４は相当の長さにわたって折り返し片１６、１７の側面１６１、１７１に密接することとなり、従って支柱６は棚板１に対して傾く余地が全くなくなる。
【００２１】図３ないし図６では、折り返し片１６、１７、１８、１９がそれぞれ縁片１２、１３、１４、１５と一体に付設されていて、折り返しによって支柱６に密接すべき側面１６１、１７１等が形成される例を示した。しかし、上記側面１６１、１７１等に相当するものは、折り返しによらなくても設けることができる。例えば、図７に示したように、金属板の小片３１、３２を予め準備しておいて、従来の浅い箱状の棚板の厚み方向に延びる外面上に、切断して作った金属板の小片３１、３２を溶接等により取り付けて、支柱に密接すべき側面３１１と３２１とを形成して、棚板１とすることもできる。
【００２２】こうして、この発明は、各棚板の厚み方向に延びる面に沿い、その外側に、複数個の金属板の小片を付設し、各金属板の小片の上記厚み方向に延びる側面を支柱の側面に密接させることを必要とし、これによって支柱の両側面を金属板の小片の側面間に挟むことを必要としている。
【００２３】なお、棚板１は、平板１１を下にして箱状体として支柱６に固定すると、周囲にこぼれ止めのある皿状のものとして使用することができる。また、上に述べた箱状体を逆にして、平板１１を上にして棚板１を支柱６に固定すると、こぼれ止めのない平坦な板として使用することができる。」
　（オ）「【００２４】・・・また、図９は、同じように最上段を皿状にし、下２段を平坦な板として合計３枚の棚板１を４本の支柱６に固定し、各支柱の下方に自在キャスターを付設して作った、この発明に係るワゴンを示している。」
　（カ）「【００２５】
【発明の効果】この発明によれば、棚板を従来通りの浅い箱状にし、各棚板の厚み方向に延びる面の外側に金属板の小片を付設し、棚板の厚み方向に延びる金属板小片の側面が支柱の側面に密接するように棚板が作られているので、従来通り棚板と支柱との間をボルトで固定するだけで、支柱の両側面を金属板小片の側面間に挟んで、支柱を棚板に対して傾かないようにすることができる。従って、棚板の改善だけであとは従来通りの組み立て操作により、容易に傾かない金属板製棚及び金属板製ワゴンを得ることができる。この点で、この発明の効果は大きい。」
　（キ）記載事項（エ）を参酌して、【図３】〜【図９】には、アングル状の４本の支柱６と直角四辺形の複数枚の棚板１とを有する棚及びワゴンが、棚板１の４つの縁片１２〜１５に、その外面に重なった折り返し片１６〜１９を連接し、折り返し片１６〜１９の端部を支柱の幅に等しい矩形部分を切り取ることで、折り返し片１６〜１９の側面と支柱の側面とを密接し、縁片１２〜１５と支柱とをボルトで固定した構成で記載されている。
　また、平板１１に連設された縁片１２〜１５に、その外面に重なる折り返し片１６〜１９を設けてこの折り返し片１６〜１９を切欠いた構成で記載されている。
　
　上記記載事項及び図面の記載から、甲第２号証には、次の発明が記載されているものと認められる。
「金属板を折曲して直角四辺形の浅い箱状に成形した複数枚の棚板と、金属板をアングル状に折曲して作られた４本の支柱とからなり、各棚板の四隅のかど部を支柱の内側面に当接し、ボルトにより固定して組み立てた金属板製棚において、
　各棚板の厚み方向に延びる各縁片の外側に金属板の小片を付設し、支柱の側面を金属板小片の厚み方向の側面に密接させ、支柱の両側面を金属板小片の上記側面により挟むようにした金属板製棚又は金属板製ワゴンであって、
　金属板小片が、各棚板の厚み方向に延びる各縁片の外側に棚板の厚み方向に延びる各縁片の先端部分を外側へ折り返して付設され、
　棚板の四隅に位置する折り返し片の端を支柱の幅に等しい矩形部分を切り取ることによって、支柱の側面に密接する金属板小片の厚み方向の側面が形成され、
　支柱の側面を金属板小片の厚み方向の側面に密接させ、支柱の両側面を上記側面により挟むようにされている金属板製棚又は金属板製ワゴン。」（以下、「甲第２号証記載の発明」という。）
　
　ウ．甲第３号証の記載事項
　本件特許出願前に頒布された刊行物である甲第３号証には、支柱に棚板が着脱自在に取付けられる組立式棚の改良に関して、次の事項が記載されている。
　（ア）「（従来技術）
　従来、山形鋼等からなる支柱に薄板鋼板材等からなる棚板をボルト等によつて取付けるように構成された組立式棚で、通常棚板によつて支柱同士が連結されており、棚板の取付力が不足すると支柱が傾斜したり、横揺れし易くなつたりするという問題が生じるため、上記支柱と棚板とをコーナプレートを介して連結するとともに多数のボルトを用いて強固に取付けることが行なわれていた。」（第１欄第１７行〜第２欄第２行）
　（イ）「（実施例）
　第１図において、１は山形鋼からなる支柱、２は薄板鋼板からなる棚板、３は上記支柱１の内面に配設されるコーナプレートである。上記支柱１は互いに直交する一対の壁面４，４を有し、各壁面にはそれぞれ長さ方向に伸びる多数の長孔５が所定間隔置きに形成されている。また、上記支柱１にはコーナ部を外面からプレス加工する等の手段で内向きに膨出する取付座６が形成され、この取付座６には上記コーナプレート３を取付けるための取付ボルト７の挿通孔８が形成されている。
　上記棚板２は、天板９とその周縁部に連成されて下向きに突出する四周の側板１０とからなり、各側板１０の側端部にはピン１１ａを介して上記コーナプレート３を係合するための係合孔１２と、この棚板２を後述するように中間部の棚板として使用する場合に支柱１に直接係合するための取付孔１３が形成されている。」（第３欄第１７〜３４行）
　（ウ）「上記各部材を用いて棚を組立てるには、棚板２の側板１０の係合孔１２を貫通してピン１１ａの先端部をコーナプレート３の取付孔２０内に嵌入して棚板２とコーナプレート３とを連結するとともに、支柱１の長孔５を貫通してピン１１ｂの先端部をコーナプレート３の係合孔２１内に嵌入することにより、このコーナプレート３を介して棚板２を支柱１の上端部に仮止めする。次いで、取付ボルト７の軸部を支柱１の挿通孔８およびコーナプレート３の挿通孔２５内に嵌入した後、その先端部にナツト２６を螺着する。
　上記のようにして棚板２の四隅をそれぞれ支柱１に仮止めした後、上記取付ボルト７を締込むことにより、棚板２を支柱１に固定する。」（第４欄第２８〜４１行）
　（エ）「なお、上記実施例では、支柱１の上端部に位置する棚板２の取付例について説明したが、支柱１の下端部および中間部についても上記各部材を用いて棚板２を取付けるように構成できる。また、上下両端部に設けた棚板２によつて支柱１の立設状態を確保できる場合には中間部に位置する棚板２の取付部をより簡略化することができる。例えば、第５図に示すように、棚板２の側板１０の側端部に設けた取付孔１３を用いて支柱１に直接取付けるようにしてもよい。すなわち、上記取付孔１３はピン１１の膨出部１８よりも大きい孔径を有する大径孔部２７と、この大径孔部２７の上辺部に連成されたテーパ溝部２８とからなり、支柱１の長孔５を貫通したピン１１の先端部を上記大径孔部２７内に嵌入した後、棚板２を押下げることによつて上記ピン１１の軸部１７がテーパ溝部２８内に嵌入されて係合され、このピン１１を介して棚板２が支柱１に係止されるようにしている。」（第５欄第４４行〜第６欄第１８行）
　（オ）第１，２，５図には、側板１０が、その外側を構成する板と内側を構成する板とからなっていて、外側を構成する板は棚板２に上端が一体に連接され、内側を構成する板は外側を構成する板の下端に一体に連接されていることが記載されている。
　第２図には、棚板２のコーナ部で、側板１０の外側を構成する板が、支柱１の内側面に当接して組み立てられた態様が記載されている。
　（カ）記載事項（エ）の「支柱１の上端部に位置する棚板２」及び「中間部に位置する棚板２」は、記載事項（イ）の「棚板２は、天板９とその周縁部に連成されて下向きに突出する四周の側板１０とからな」るものであるので、実質的に直角四辺形といえる。
　また、それらは、第１，５図を参酌すると、枚数が複数枚のといえる。
　そして、支柱１は、棚板２のコーナ部を取付けるものであるので、４本の支柱といえる。
　（キ）記載事項（エ）の中間部に位置する棚板２は、「第５図に示すように、棚板２の側板１０の側端部に設けた取付孔１３を用いて支柱１に直接取付けるようにしてもよい。」ものであり、中間部に位置する棚板２と支柱１とは、実質的に記載事項（オ）の第２図と同様に、側板１０の外側を構成する板が、支柱１の内側面に当接して組み立てられたものといえる。
　
　上記記載事項及び図面の記載から、甲第３号証には、特に第５図記載の態様に着目して、次の発明が記載されているものと認められる。（ａ：〜ｈ：の文字は当審で付与。）
「ａ：複数枚の直角四辺形の薄板鋼板からなる棚板と、山形鋼からなる４本の支柱１とからなり、
　支柱１の上端部に位置する棚板２とコーナプレート３とを連結するとともに、支柱１の長孔５を貫通してピン１１ｂの先端部をコーナプレート３の係合孔２１内に嵌入することにより、棚板２の四隅をそれぞれ支柱１に仮止めした後、取付ボルト７を締込むことにより、棚板２を支柱１の内側面に当接固定し、
　中間部に位置する棚板２のコーナ部をそれぞれ支柱１の内側面に当接し、ピン１１を介して棚板２が支柱１に係止されることとした組立式棚において、
ｂ：棚板２は、天板９とその周縁部に連成されて下向きに突出する四周の側板１０とからなり、側板１０が、その外側を構成する板と内側を構成する板とからなっていて、
ｄ：外側を構成する板は棚板２に上端が一体に連接され、内側を構成する板は外側を構成する板の下端に一体に連接されているものであって、
ｅ：側板１０の外側を構成する板が、支柱１の内側面に当接して、
ｇ：棚板２の側板１０の側端部に設けた取付孔１３を用いてピン１１を介して棚板２が支柱１に係止される
ｈ：組立式棚。」（以下、「甲第３号証記載の発明」という。）
　
　エ．甲第６号証の記載事項
　本件特許出願前に頒布された刊行物である甲第６号証には、板材折曲機の誤差調整方法に関して、次の事項が記載されている。
　（ア）「【０００２】
【従来の技術】従来、板材折曲機において、図５に示すように板材送り装置５１により板材Ｗを挟持型５２に送り込み、板材Ｗの挟持型５２から突出した部分Ｗａを曲型５３の上昇によって端曲げするものがある。このような板材折曲機を用いて図６に示すように板材Ｗを多段に折り曲げる場合、図７（Ａ）〜（Ｅ）に示すように、板材Ｗの曲げと送りとを繰り返し、先端側の曲げ部分から順次加工する。」
　（イ）図７は、折曲動作手順の説明図であって、折曲動作手順が開示されている。
　
　オ．甲第７号証の記載事項
　本件特許出願前に頒布された刊行物である甲第７号証には、折曲機における板材折曲方法に関して、次の事項が記載されている。
　（ア）「【０００４】図４（Ａ）は、メインクランプ４１で板材Ｗ′の中央部を挟持して、その板材Ｗ′の前縁に複数回にわたり曲げ加工を行う場合の開始前の状態を示す。この状態から前縁の曲げ加工のためにメインクランプ４１を前進させる（同図（Ｂ））。このとき、初回の曲げ加工を行うのに必要な加工位置までメインクランプ４１によって板材Ｗ′を送り込めても、同じ板材Ｗ′の辺の２回目および３回目の曲げ加工ではメインクランプ４１が１点鎖線および２点鎖線で示すように前進し、金型部４２の入口部の機構（例えば型幅変更機構（図示せず））等と干渉することがある。このように、その辺の加工で１箇所でもメインクランプ４１が干渉する箇所が生じると判断されると、予めサブクランプ４４に持ち替えて、その辺の加工を全てサブクランプ４４で行うようにする。
【０００５】この持ち替え動作は次のように行われる。すなわち、同図（Ｂ）のようにメインクランプ４１を移動させた後、サブクランプ４４を同図（Ｂ）の鎖線で示す待機位置から板材Ｗ′の後端部に対応する実線で示す位置まで前進させる。ついで、板材Ｗ′の後端部をサブクランプ４４で挟持した後、メインクランプ４１による挟持を解除し、板材Ｗ′をメインクランプ４１からサブクランプ４４に持ち替える（同図（Ｃ））。この状態で、板材Ｗ′の前縁の初回の曲げ加工を行い（同図（Ｄ））、さらにサブクランプ４４で板材Ｗ′を順次進出させて以後の曲げ加工を行う（同図（Ｅ））。」
　（イ）図１は、この発明の一実施例を示す動作説明図であって、材料板の端から順に曲げ加工を施す工程が開示されている。
　（ウ）図７は、従来の板材折曲方法を示す動作説明図であって、板材折曲動作が開示されている。
　
　カ．甲第８号証の記載事項
　本件特許出願前に頒布された刊行物である甲第８号証には、組立用整理棚に関して、次の事項が記載されている。
　（ア）「この種の組立用整理棚としては従来から各種構造のものが案出されているけれども、この種の整理棚は特に捩れや横振れが生じやすく、これを簡易な方法で阻止することが困難とされている。そこで従来での一般的な方法として捩れ、横振れは阻止できないとしながらも棚板と支柱とを固定するに際し棚板の１つのコーナー部分に対して二組のビスおよびナツトを使用し一枚の棚板を支柱に取り付ける」（第１欄第３６行〜第２欄第７行）
　（イ）「まず、天板９の長手方向に折目１７を介して第１前側片１０ａおよび第１後側片１１ａを連設し、これら各側片１０ａ、１１ａに折目１８を介して第２前側片１０ｂおよび第２前側片１１ｂを連設し、かつ、これら各側片１０ｂ、１１ｂに折目１９を介して折曲片２０、２１を連設すると共に、天板９の幅方向に折目２２を介して第１左側片１２ａおよび第１右側片１３ａを連設し、これら各側片１２ａ、１３ａに折目２３ａを介して第２左側片１２ｂおよび第２右側片１３ｂを連設し、かつ、これら各側片１２ｂ、１３ｂに折目24を介して折目片25、26を連設する一方、前記各側片１２ａ、１２ｂ、１３ａ、１３ｂの両側に折目２７を介して第１および第２の各コーナー片１４ａ、１４ｂを連設し、さらに、これら各コーナー片１４ａ、１４ｂに折目２８を介して連結片２９、３０を連設し、これらの各片を各折目に沿つて折り曲げ第６図に示す如く構成したものである。
　すなわち、第１前側片１０ａ と第２前働片１０ｂとで前側壁１０を、また、第１後側片１１ａと第２後側片１１ｂとで後側壁１１を、さらに第１左側片１２ａと第２左側片１２ｂ とで左側壁１２を、さらにまた、第１右側片１３ａと第２右側片１３ｂ とで右側壁13をそれぞれ構成すると共に、第１コーナー片１４ａ と第２コーナー片１４ｂとでコーナー壁１４を構成し、かつ連結片２９、３０の外側に各側壁１０、１１を連結することによつて段部１５を形成したものである。なお、上記の実施例によつて棚板６を形成すると通常の厚みの約半分程度の厚みの薄鉄板で充分な強度を有する棚板６を形成することができるものである。」（第３欄第１２〜４１行）
　（ウ）「上記構成の棚板６における左右両側部に第４図に示す如く支柱1,1を当接させ、該支柱１の折曲片2と棚板６のコーナー壁１４とをビス７およびナツト８によつて固定すると、各支柱１の端面３ａが棚板６の各段部１５に当接するため、整理棚の捩れや横振れを防止することができるものである。」（第３欄第４２行〜第４欄第４行）
　（エ）「第７図乃至第９図は上記実施例の変形構造を示すもので、この変形例においてはコーナー壁１４近傍における各側壁１０,１１,１２,１３に段部１５,１５’を形成した棚板６’を用い、この棚板６’を４本の支柱１’によつて支持するようにすると共に支柱１’の両側端面３ａおよび３ａ'が棚板６’の段部１５,１５’と当接するように構成したもので、以下、この変形例においても先の実施例とほぼ同様の作用効果を奏するので、第７図乃至第９図において第１図乃至第４図と同一の部分には同一番号を付じてその詳しい説明を省略する。」（第４欄第９〜１９行）
　（オ）「支柱１,１の端面３ａの棚板６,６’に設けた段部１５とが当接して捩れや左右の横振れが阻止できて緊牢な組立棚となり・・・」（第４欄第３３〜３６行）
　（カ）第２図には、棚板６の平面図が記載されており、棚板６のコーナー部にはコーナー壁１４、段部１５が記載されている。
　（キ）第４図には、取付構造を示す平面図が記載されており、第２図の棚板６の段部１５が支柱１の端面と当接し、コーナー壁１４と左側壁１２（または右側壁１３）が、支柱１の内面と当接して配されたものが記載されている。
　（ク）第５図には、棚板６の展開図が記載されており、略直角四辺形の天板９の対抗する２辺に左右側壁１２，１３とコーナー壁１４と連結片２９、３０とがこの順序に連設され、他の対抗する２辺に前後側壁１０，１１が連設されていている。
　また、天板９と前側壁１０（または後側壁１１）とコーナー壁１４と連結片２９とに隣接する部分が、切り欠かれた空間として記載されている。
　（ケ）第７〜９図には、第１図の変形構造を示す斜視図、棚板６’の平面図、その取付構造を示す平面図が記載されている。
　（コ）第７〜９図記載の変形構造の細部は、記載事項（エ）の「第１図乃至第４図と同一の部分には同一番号を付じその詳しい説明を省略する。」ものであるので、同一番号の部分は上記（イ）（ウ）（オ）〜（ク）と同様の構成といえる。
　一方、段部１５’の詳細構成、及び、左側壁１２（または右側壁１３）と支柱１’の相互関係に関しては展開図が無く、製造工程の詳細説明もないため詳細構成を特定する事は出来ない。
　
　上記記載事項及び図面の記載から、甲第８号証には、第１〜６図記載の実施例に着目して、次の発明が記載されているものと認められる。
「棚板６は、略直角四辺形の天板９の長手方向に折目１７を介して第１前側片１０ａおよび第１後側片１１ａを連設し、これら各側片１０ａ、１１ａに折目１８を介して第２前側片１０ｂおよび第２前側片１１ｂを連設し、かつ、これら各側片１０ｂ、１１ｂに折目１９を介して折曲片２０、２１を連設すると共に、天板９の幅方向に折目２２を介して第１左側片１２ａおよび第１右側片１３ａを連設し、これら各側片１２ａ、１３ａに折目２３ａを介して第２左側片１２ｂおよび第２右側片１３ｂを連設し、かつ、これら各側片１２ｂ、１３ｂに折目24を介して折目片25、2６を連設する一方、前記各側片１２ａ、１２ｂ、１３ａ、１３ｂの両側に折目２７を介して第１および第２の各コーナー片１４ａ、１４ｂを連設し、さらに、これら各コーナー片１４ａ、１４ｂに折目２８を介して連結片２９、３０を連設し、
　天板９と前側壁１０（または後側壁１１）とコーナー壁１４と連結片２９とに隣接する部分は、切り欠かれた空間とし、
　これらの各片を各折目に沿つて折り曲げ構成し、
　棚板６の段部１５が支柱１の端面と当接し、コーナー壁１４と左側壁１２（または右側壁１３）が、支柱１の内面と当接した
　組立用整理棚。」（以下、「甲第８号証記載の発明１」という。）
　
　また、第７〜９図記載の変形構造に着目して、次の発明が記載されているものと認められる。
「棚板６は、略直角四辺形の天板９の長手方向に折目１７を介して第１前側片１０ａおよび第１後側片１１ａを連設し、これら各側片１０ａ、１１ａに折目１８を介して第２前側片１０ｂおよび第２前側片１１ｂを連設し、かつ、これら各側片１０ｂ、１１ｂに折目１９を介して折曲片２０、２１を連設すると共に、天板９の幅方向に折目２２を介して第１左側片１２ａおよび第１右側片１３ａを連設し、これら各側片１２ａ、１３ａに折目２３ａを介して第２左側片１２ｂおよび第２右側片１３ｂを連設し、
　これらの各片を各折目に沿つて折り曲げ構成し、
　棚板６には、コーナー壁１４、段部１５，１５’も設け、
　棚板６の段部１５，１５’が支柱１’の端面と当接し、コーナー壁１４が、支柱１’の内面と当接した
　組立用整理棚。」（以下、「甲第８号証記載の発明２」という。）
　
　キ．甲第９号証の記載事項
　本件特許出願前に頒布された刊行物である甲第９号証には、商品陳列用臨時スタンドに関して、次の事項が記載されている。
　なお、文末の（　）は、請求人が翻訳文として提出した対応箇所の翻訳である。（以下「対応記載」という。）
　（ア）「Referring to the drawings, FIG. １ shows the inner surfaces of a corner post assembly １ formed from a relatively stiff but foldable material such as pressed laminated paperboard. The corner post１ is formed from a single sheet of such material which is folded to provide a pair of integral elongate limbs２，３ disposed approximately at right angles to one another thereby forming a corner of an L shaped post. The limbs ２，３ each comprise a double ply thickness of material formed by folding inner limb sections２ａ，３ａ inwardly to overlap the inward facing surfaces of outer limb sections２ｂ，３ｂ，respectively as shown in phantom with respect to limb３.
　The inner limb sections are retained in their overlapped relationship by means of mating tab and slot connectors４ integral with inner limb sections２ａ，３ａ and spaced along the abutting longitudinal edges thereof. Preferably, those tabs and slots are alternated along the length of the inner limb sections２ａ，３ａ to provide a more secure fastening arrangement.
　The inner limb sections２ａ，３ａ are each formed with cut out areas longitudinally spaced along the assembly１ thereby exposing portions of the inner surfaces of outer limb sections２ｂ，３ｂ. Each of the cut out areas is in register with the adjacent cut out area of the other inner limb section thus providing a series of recesses５ for accommodating the corner portion of a shelf assembly８ described later in more detail. In order to facilitate connection of the shelf assembly each of the limbs２，３ is provided with an integral arm６，７， respectively, outstanding from the free longitudinal edge of the limb. Each arm is formed from material removed from the inner limb sections thereby forming the recesses５.
　Referring now to FIGS.２，２ａ and３ of the drawings, there is shown a corner portion of a rectangular shelf assembly８ formed also from a relatively stiff but foldable material such as pressed laminated paperboard. The shelf assembly８ is formed from a single sheet of such material and comprises a support surface９ having an integral peripheral skirt １０ depending therefrom to provide a shelf having an inverted tray like structure. The peripheral skirt １０ is formed from a double ply thickness of material produced by folding inner skirt section １０b inwardly and upwardly (see FIG.３) into overlapping relationship with the inner surface of outer skirt section １０a. The skirt sections are retained in their overlapped relationship by a series of mating tab and slot connectors １１ spaced around the assembly８. The tabs １１a are integral with the free edge of inner skirt section １０ｂ and spaced therealong. The slots １１ｂ are formed in the support surface９ at locations spaced apart by an amount corresponding to the spacing between adjacent tabs １１ａ(see FIG.３).
　At each corner of the shelf assembly８ａ length of the outer skirt section １０a is removed thereby providing a recessed corner portion and exposing a pair of tongues１２and １４ provided by the inner skirt section １０ｂ. In a presently preferred embodiment illustrated in FIG.２ａ, these tongues１２and １４are provided with extensions １２ａ and １４ａ which project downwardly below the skirt of the shelf assembly８ａ. In addition, tongue１２ may have a horizontal extension１２b adapted to be folded around the corner and dimensioned so that its end portion is positioned between the inner and outer skirt sections １０ａ and １０ｂ when the shelf unit is assembled.
　In order to assemble the shelf assembly８ and the corner post assembly１ it is necessary to bring those components together so that they are connected into a unit whilst at the same time forming at least one of the individual assemblies into its completed condition to provide a structural member of the display stand. It will be appreciated that a shelf assembly such as assembly８ is united with four separate corner post assemblies, one post being provided at each corner of the shelf assembly８ and moreover it is necessary to effect the various folding operations so that at least two adjacent corner posts are united to a shelf at the same time. However, for the sake of simplicity only one shelf and post corner construction is described, it being understood that the other corner constructions are achieved in a similar manner. Moreover, a plurality of shelf assemblies normally are provided to form a multishelf display structure１３as shown in FIG.５.
　Each corner post assembly１ is formed into the structural component as shown in FIG.１ by folding over and locking together the inner limb sections２ａ，３ａ，the shelf assembly８, on the other hand, will be formed into a structural component while being attached to the corner post assembly. To unite a shelf assembly８ with each corner post assembly１ the recessed corner portion of the shelf assembly is mated with abutment with the recess５ of the corner post assembly such that the pointed corner of support surface９ is received in the corner of one of recesses５ with arms６，７ lying along the inner faces of adjacent outer skirt sections１０ａ. Thereafter, the inner wall sections１０ｂ are folded upwardly and inwardly so that the tongues １２and１４are overlapped with the arms６，７ and received in the cut out areas of the recess５. Thus, the arms６，７ are received in retaining sleeves provided by the double ply thickness of the skirt sections. To secure the overlapped inner skirt section １０ｂ in position the tabs and slots １１are interconnected as previously described. When all the corners of a shelf assembly８ have been thus connected, the shelf assembly comprises a structural member of the display unit １３. As shown in FIGS.２ and４ the tabs １１ａ protrude through the slots １１ｂ in the support surface９ thereby providing retaining lips to restrain movement of articles placed on the support surface.
　In certain other embodiments, however, the shelf assemblies will be pre-formed into completed structural members whereas the corner post assemblies would be completed only at the time when being united with the pre-formed shelf assemblies. A suitable shelf assembly for this purpose is the arrangement shown in FIG. 2a and previously described in more detail. It will be understood that the tongue extensions １２ａ, １４a will be positioned between the outer and inner limb sections２ａ，３ｂ and ３ａ, ３ｂ, respectively, of the corner post assembly１. Of course, the arms ６, 7 will be received between the inner and outer skirt sections １０ａ and １０ｂ. It is envisaged that the arms６ and７ may be omitted in some instances.
　It will be appreciated from inspection of FIG.５ that the display structure１３ is symetrical and, if desired, can be inverted so that the peripheral skirt of each shelf unit extends upwardly thereby allowing the shelf units to be utilized as fixed trays.
　It is envisaged that end caps, for example, of a plastics material could be fitted at the extremities of each corner post to provide greater wear resistance and to prevent ingress or absorption of water into the paperboard material. It is further envisaged that either one of the corner post units or the shelf units could be formed from a material other than pressed laminated paperboard or indeed any other foldable material. For example, the corner posts could be formed from a metal or plastics material.
　In order to prevent undue deflection of a shelf unit a metal hat section (not shown) may be provided which snap-fits beneath the shelf unit within the confines of its peripheral skirt.」
（図面を参照すると、図１が、プレス成形積層ボール紙(pressed１aminated　paperboard)などの比較的堅いが折り曲げることが可能である材料から形成された隅柱アセンブリ１の内面を示している。隅柱１は、そのような１枚の材料を、お互いに対してほぼ直角に配置されて「Ｌ」字形の柱の角を形成する１対の一体の細長いリム２、３をもたらすように折り曲げて形成されている。リム２、３の各々は、リム３に関して想像線で図示されているように、リム内側部分２ａ、３ａをリム外側部分２ｂ、３ｂの内向きの表面にそれぞれ重なるように内側へと折り曲げることによって形成された２層分の厚さの材料を備えている。
　リム内側部分は、リム内側部分２ａ、３ａと一体であって、リム内側部分２ａ、３ａの互いに当接する長手方向の縁に沿って間隔を空けつつ位置している対をなすタブとスロットとからなるコネクタ４によって、重なり合った関係に保持されている。好ましくは、これらのタブおよびスロットは、より確実な固定の構成をもたらすために、リム内側部分２ａ、３ａの全長に沿って交互に配置されている。
　リム内側部分２ａ、３ａの各々に、アセンブリ１の長手方向に沿って間隔を空けて位置する切り欠き領域が形成され、結果としてリム外側部分２ｂ、３ｂの内面の一部分が露出されている。各々の切り欠き領域の位置は、隣接する他方のリム内側部分の切り欠き領域に合わせられており、さらに詳しく後述される棚アセンブリ８の角部分を収容するための一連の凹部５をもたらしている。棚アセンブリの接続を容易にするために、リム２、３の各々に、リムの長手自由縁から突き出す一体のアーム６、７がそれぞれ設けられている。各々のアームは、リム内側部分から取り除かれて凹部５を形成する材料から形成されている。
　次に、図面の図２、２ａ、および３を参照すると、やはりプレス成形積層ボール紙などの比較的堅いが折り曲げることが可能である材料から形成された矩形の棚アセンブリ８の角部分が示されている。棚アセンブリ８は、１枚のそのような材料から形成され、支持面９および支持面９からぶら下がる支持面９と一体の外周のスカート１０を備えており、トレイを逆さにしたような構造を有する棚をもたらしている。外周のスカート１０は、スカート内側部分１０ｂをスカート外側部分１０ａの内面に重なるように内側へと上方に折り返すことによって生み出される２層分の厚さの材料から形成される（図３を参照）。スカート部は、アセンブリ８周りに間隔を空けて位置する対をなすタブとスロットとからなるコネクタ１１によって、重なり合った関係に保持される。タブ１ｌａが、スカート内側部分１０ｂの自由縁と一体であって、スカート内側部分１０ｂの自由縁に沿って間隔を空けて位置している。スロット１１ｂが、支持面９において、隣り合うタブ１１ａの間の間隔に一致する量だけ離れた位置に形成されている（図３を参照）。
　棚アセンブリ８の各々の角において、スカート外側部分１０ａが或る長さだけ除去されることで、凹んだ角部分がもたらされ、スカート内側部分１０ｂによってもたらされる１対の舌１２および１４が露出している。図２ａに示されている現時点の好ましい実施の形態においては、これらの舌１２および１４が、棚アセンブリ８ａのスカートよりも下方へと突き出す延長部１２ａおよび１４ｂを備えている。さらに、舌１２が、角を巡って折り曲げられるように構成され、棚ユニットが組み立てられたときに端部がスカート内側部分１０ｂとスカート外側部分１０ａとの間に配置されるように寸法付けられた水平方向の延長部１２ｂを有してもよい。
　棚アセンブリ８および隅柱アセンブリ１を組み立てるために、これらの構成部品を、これらの構成部品がユニットヘと接続されると同時に、個々のアセンブリのうちの少なくとも１つが完成した状態へと形成されて陳列スタンドの構造部材をもたらすように、一体にすることが必要である。アセンブリ８などの棚アセンブリが、棚アセンブリ８の各々の角に１つずつ設けられる４つの別々の隅柱アセンブリに結合させられること、および少なくとも２つの隣接する隅柱が同時に棚へと結合させられるように、種々の折り曲げ作業を達成する必要があることを、理解できるであろう。しかしながら、簡単にするために、棚および柱のただ１つの角の構成だけを説明するが、他の角の構成も、同様のやり方で実現されることを理解すべきである。さらに、通常は、図５に示されているような複数の棚を有する陳列構造１３を形成するように、複数の棚アセンブリが設けられる。
　各々の隅柱アセンブリ１が、リム内側部分２ａ、３ａを折り返して互いに留めることによって、図１に示されるとおりの構造部品へと形成される一方で、棚アセンブリ８は、隅柱アセンブリヘと取り付けられるときに構造部品へと形成される。棚アセンブリ８を各々の隅柱アセンブリ１に結合させるために、支持面９の尖った角が隅柱アセンブリの或る１つの凹部５の角に受け入れられ、アーム６、７が隣接するスカート外側部分１０ａの内面に沿って位置するように、棚アセンブリの凹んだ角部分が隅柱アセンブリの凹部５に当接させられる。その後に、内壁部分１０ｂが、舌１２および１４がアーム６、７に重なり、凹部５の切り欠き領域に受け入れられるように、上方へと内側に折り曲げられる。このようにして、アーム６、７が、スカート部分の２層からなる厚さによってもたらされる保持スリーブに収容される。重なったスカート内側部分１０ｂを動かぬように固定するために、タブおよびスロット１１が、上述のように互いに接続される。棚アセンブリ８のすべての角がこのように接続されたとき、棚アセンブリは、陳列ユニット１３の構造部材を構成する。図２および４に示されるように、タブ１１ａが、支持面９のスロット１１ｂを貫いて突き出し、支持面上に配置される物品の移動を制止する保持リップをもたらしている。
　しかしながら、他の特定の実施の形態においては、棚アセンブリが完成した構造部材へとあらかじめ形成される一方で、隅柱アセンブリが、あらかじめ形成された棚アセンブリに結合させられるときに初めて完成される。この目的に適した棚アセンブリは、図２ａに示され、すでに詳しく説明された構成である。舌の延長部１２ａ、１４ａが、隅柱アセンブリ１のリム外側部分２ｂおよびリム内側部分２ａの間ならびにリム外側部分３ｂおよびリム内側部分３ａの間にそれぞれ位置することを、理解できるであろう。当然ながら、アーム６、７は、スカート内側部分１０ｂおよびスカート外側部分１０ａの間に収容される。いくつかの場合においては、アーム６および７を省略してもよいと考えられる。
　陳列構造１３が対称であり、所望であれば、各々の棚ユニットの外周のスカートが、上方へと延びることで、結合した棚を固定のトレイとして利用できるよう、逆さにされてもよいことを、図５を観察することによって理解できるであろう。
　耐摩耗性を高め、ボール紙材料への水の進入または吸収を防止するために、例えばプラスチック材料からなる端部キャップを、各々の隅柱の端部に取り付けることができると考えられる。さらには、隅柱ユニットまたは棚ユニットのいずれか一方を、プレス成形積層ボール紙以外の材料から形成でき、実際に任意の他の折り曲げ可能な材料で形成できると考えられる。例えば、隅柱を、金属またはプラスチック材料から形成することができる。
　棚ユニットが過度に撓むことがないように、棚ユニットの外周のスカートの境界の内側で棚ユニットの下方にはめ込まれる金属製の「帽子」部（図示されていない）を設けてもよい。）
　
　（イ）記載事項（ア）を参酌してＦＩＧ．１．〜５．を見るとそこには、
　棚アセンブリ８は支持面９の少なくとも２辺にスカート外側部分１０ａとスカート内側部分１０ｂとがこの順序に連設され、
　スカート外側部分１０ａが、支持面９の尖った角から、スカート外側部分１０ａが少なくとも組立に支障が生じないだけは切欠された形状にされ、
　スカート内側部分１０ｂによってもたらされる１対の舌１２および１４が露出した状態で、スカート内側部分１０ｂが内側へくるようにスカート外側部分１０ａ起立させたものであって、
　支持面９の尖った角が隅柱アセンブリの或る１つの凹部５の角に受け入れられ、アーム６、７が、スカート部分の２層からなる厚さによってもたらされる保持スリーブに収容されることで、棚アセンブリ８を隅柱アセンブリ１に固定した商品陳列用臨時スタンドが記載されている。
　
　ク．甲第１０号証の記載事項
　本件特許出願前に頒布された刊行物である甲第１０号証には、組み立て棚用の支柱および組み立て棚に関して、次の事項が記載されている。
　（ア）「【０００７】・・・なお図示を省略しているがこの調節ねじ８に代えてキャスターを設けてもよい。」
　
　ケ．甲第１１号証の記載事項
　本件特許出願前に頒布された刊行物である甲第１１号証には、伸縮整理棚に関して、次の事項が記載されている。
　（ア）「【００１５】・・・各支持部材８の下端にはアジャストストッパー１０が設けてある。勿論、各支持部材８の下端にキャスターを設けてもよい。」
　
　コ．甲第１２号証の１、及び甲第１２号証の２記載事項
　本件特許出願前に頒布された刊行物である甲第１２号証の１、及び甲第１２号証の２には、サカエのスーパーワゴンに関して、次の事項が記載されている。
　（ア）「’９７サカエ　工場器具・工場機器・事務所器具　総合カタログＮｏ２　新商品掲載板」（表紙）
　（イ）「スーパーワゴン・・・・・１４４〜１４９」（「１４１〜２２２」と表示された頁）
　（ウ）「サカエ型」として、支柱、そのの裏側に当接する部品、支柱の両側面に突き合わせられた２つの部品からなる棚板コーナー部が図示されている。（第１４４頁左上）
　（エ）「棚板コーナー部は、サカエ独特の支柱側面突き合わせ型のため、ぐらつきが無く、非常に堅牢です。」（第１４４頁左上）
　（オ）ワゴンの写真、及び「品番・・・０２００３３　ＳＲ−６００」（第１４５頁右下）
　（カ）「’９７サカエ　工場器具・工場機器・事務所器具　総合カタログＮｏ２　１９９７年発行」（奥付）
　
　サ．甲第１２号証の３の１〜４記載事項
　スーパーワゴンＳＲ−６００のを撮影した写真の写しである甲第１２号証の３の１〜４記載には、次の事項が撮影されている。
　（ア）ＳＲ−６００の全体写真と、方向を示す矢印ＢとＣ（甲第１２号証の３の１）
　（イ）支柱、支柱の裏側に当接する金具と付記された部品、支柱の両側面に突き合わせられた外側の部分と付記された２つの部分、金具後方の箱底と付記された部分、支柱−外側の部分と付記された２つの部品間に存在する切欠と付記された線からなる、甲第１２号証の３の１のワゴンをＢ方向から見た写真（甲第１２号証の３の２）
　（ウ）支柱、金具と付記された部品、金具と付記された部品の両側に設けられた外側の部分と付記された２つの部分、金具後方の箱底と付記された部分、金具と付記された部品−外側の部分と付記された２つの部分との間に存在する切欠と付記された線からなる、甲第１２号証の３の１のワゴンをＢ方向から見た、支柱が分離している写真（甲第１２号証の３の３）
　（エ）支柱と付記された部分、その表側に当接する金具と付記された部品、金具と付記された部品の両側に設けられた内側の部分と付記された２つの部分、下面を構成する箱底と付記された部分、金具と付記された部品−内側の部分と付記された２つの部分間に存在する切欠と付記された線、金具と付記された部品の表面に設けられたボルト・ナツトとからなる甲第１２号証の３の１のワゴンをＣ方向から見た写真（甲第１２号証の３の４）
　
　
（２）甲第３号証記載の発明との対比
　本件発明１と甲第３号証記載の発明を対比する。 
（a）甲第３号証記載の発明の「直角四辺形の薄板鋼板からなる棚板」は、本件発明１の「直角四辺形の金属製棚板」に相当し、以下同様に、
「山形鋼からなる４本の支柱１」は、「山形鋼で作られた４本の支柱」に、
「支柱１の上端部に位置する棚板２」の「四隅」及び「中間部に位置する棚板２のコーナ部」は、「各棚板の四隅のかど部」に、
「組立式棚」は、棚板が「薄板鋼板からなる」ものであるので、「金属製棚」に相当する。
（b）甲第３号証記載の発明の「ピン１１を介して棚板２が支柱１に係止されること」と、本件発明１の「ボルトにより固定して組み立てること」とは、「固定して組み立てること」で共通する。
（c）甲第３号証記載の発明の「中間部に位置する棚板２のコーナ部をそれぞれ支柱１の内側面に当接し」と、本件発明１の「各棚板の四隅のかど部を支柱の内側面に当接し」とは、「棚板の四隅のかど部を支柱の内側面に当接し」で共通する。
（d）甲第３号証記載の発明の側板１０の「外側を構成する板」は、本件発明１の「側壁」に相当する。
　また、甲第３号証記載の発明の側板１０の「内側を構成する板」と、本件発明１の「内接片」とは、側壁の「内側の板」で共通する。
　そして、甲第３号証記載の発明の「棚板２は、天板９とその周縁部に連成されて下向きに突出する四周の側板１０とからなり、側板１０が、その外側を構成する板と内側を構成する板とからなっていて、外側を構成する板は棚板２に上端が一体に連接され、内側を構成する板は外側を構成する板の下端に一体に連接されている」ことと、本件発明１の「棚板は直角四辺形の箱底の四辺に側壁と内接片とがこの順序に連設されていて、各側壁が箱底のかどから支柱の幅の長さ分だけ切欠された形状に金属板を打ち抜き、内接片を折り返して側壁に重ね合わせるとともに、内接片が箱の内側へくるように側壁を起立させて浅い箱状体としたものであ」ることとは、前者の「内側を構成する板」が、「内側を構成する板は外側を構成する板の下端に一体に連接されている」ものであって、内側を構成する板を折り返して外側を構成する板に重ね合わせた構成といえるものであるので、「棚板は直角四辺形の箱底の四辺に側壁と内側の板とがこの順序に連設されていて、内側の板を折り返して側壁に重ね合わせるとともに、内側の板が箱の内側へくるようにして浅い箱状体としたものであ」る点で共通する。
（e）甲第３号証記載の発明の「側板１０の外側を構成する板が、支柱１の内側面に当接」していることと、本件発明１の「側壁の切欠部内に延出している内接片を支柱の内側に当接」していることとは、「棚板の外側面を支柱の内側に当接」した点で共通する。
（f）甲第３号証記載の発明の「棚板２の側板１０の側端部に設けた取付孔１３を用いてピン１１を介して棚板２が支柱１に係止される」ことと、本件発明１の「内接片を支柱にボルトにより固定する」こととは、「棚板の外側面を支柱に固定する」点で共通する。
　
　一致点：
　そうすると、両者は、
「複数枚の直角四辺形の金属製棚板と、山形鋼で作られた４本の支柱とからなり、棚板の四隅のかど部を支柱の内側面に当接し、固定して組み立てることとした金属製棚において、上記棚板は直角四辺形の箱底の四辺に側壁と内側の板とがこの順序に連設されていて、内側の板を折り返して側壁に重ね合わせるとともに、内側の板が箱の内側へくるようにして浅い箱状体としたものであって、棚板の外側面を支柱の内側に当接し、棚板の外側面を支柱に固定する金属製棚。」
で一致し、次の点で相違する。
　
　相違点１：本件発明１は、棚板の四隅のかど部を支柱の内側面に当接する固定が「各棚板」に対する「ボルト」による固定であるのに対し、甲第３号証記載の発明は、「支柱１の上端部に位置する棚板２の・・・当接固定」が「棚板２とコーナプレート３とを連結するとともに、支柱１の長孔５を貫通してピン１１ｂの先端部をコーナプレート３の係合孔２１内に嵌入することにより、棚板２の四隅をそれぞれ支柱１に仮止めした後、取付ボルト７を締込むことにより、棚板２を支柱１の内側面に当接固定」するものであり、中間部に位置する棚板２の固定が「ピン１１を介して棚板２が支柱１に係止される」ものである点。
　
　相違点２：本件発明１は、側壁の内側の板が「内接片」であり、
棚板は「各側壁が箱底のかどから支柱の幅の長さ分だけ切欠された形状に金属板を打ち抜き、内接片を折り返して側壁に重ね合わせるとともに、内接片が箱の内側へくるように側壁を起立させて浅い箱状体とした」ものであり、
棚板と支柱との固定は「側壁の切欠部内に延出している内接片を支柱の内側に当接し、切欠によって作られた側壁の側面で支柱の両側面を挟み、内接片を支柱にボルトにより固定」するのに対し、甲第３号証記載の発明はそうでない点。
　
　
（３）相違点についての判断　
　ア．上記相違点１について検討する。
　まず、固着手法として「ボルト」による固定は、甲第２号証や甲第８号証にも記載されている様に周知慣用手段といえるものである。
　さらに、甲第２号証や甲第８号証記載のものが、上端部に位置する棚板もボルトによる固定がなされている様に、ボルトによる固定が、中間部に位置する棚板にしか適用出来ない様なものでもない。
　そうすると、甲第３号証記載の発明の中間部に位置する棚板２の固定手法の「ピン１１」を、周知慣用の「ボルト」に変更するとともに、他の棚板も同様にボルトによる固定に変更して、本件発明１の相違点１に係る発明特定事項とすることは当業者が容易に想到し得たことである。
　
　イ．上記相違点２について検討する。
　（ア）「内接片」の意味
　本件発明１の「内接片」は、何らかの部材の「内」に「接」する「片」であり、請求項１の「各棚板の四隅のかど部を支柱の内側面に当接し、・・した金属製棚」や「内接片を支柱の内側に当接し・・」等の記載からみて、支柱に接するものである。
　それに対して、甲第３号証記載の発明の側板１０内側を構成する板は、支柱１に当接するものではないので、本件発明１の「内接片」とはいえない。
　
　請求人は、平成２４年１１月１日付け口頭審理陳述要領書の「６　（３）[１]」（なお、[]は、丸数字を表す。以下同様。）で「本件特許の内接片は側壁の内側に位置している部分と定義すべき」旨主張しているが、「内接片」なる言葉が本来有している「内接」の意味を無視して、単に側壁の内側に位置している部分と定義すべき合理的な理由は発見出来ず、上記請求人の主張は採用出来るものではない。
　
　（イ）甲第２，８，９号証記載の発明について
　まず、相違点２の前提となる、「棚板は『各側壁が箱底のかどから支柱の幅の長さ分だけ切欠された形状に金属板を打ち抜き、内接片を折り返して側壁に重ね合わせるとともに、内接片が箱の内側へくるように側壁を起立させて浅い箱状体とした』もの」であることに関連する、「箱底」の四辺に「側壁」と「内接片」が、この順序で連接されていて、四辺に近い方の「側壁」が、「支柱の幅の長さ分だけ切欠」かれていることについては、甲第２，８，９号証のいずれにも記載されていないので、甲第３号証の金属製棚に、甲第８号証又は甲第９号証若しくは甲第２号証を単独で又は組み合わせて適用して、本件発明１の相違点２に係る発明特定事項とすることは当業者が容易に想到し得たとはいえない。
　
　（ウ）請求人の甲第２号証に係る主張について
(a)請求人は、
　(a1)審判請求書の「７．(4).(4-8).」で「本件第１発明及び本件第２発明は、甲第３〜５号証の周知技術に甲第２号証を組み合わせるか、或いは、甲第３〜５号証の周知技術に甲第２号証及び甲第８号証を組み合わせることでも、容易に想到できたものである。」（なお、甲第４，５号証、及び、審判請求書「（３）．無効審判請求の根拠」に記載した「甲第４号証」、「甲第５号証」に係る主張は、平成２４年１１月１５日の口頭審理において撤回された。以下同様。）と主張し、
　(a2)また、平成２４年１１月１日付け口頭審理陳述要領書の「６　（３）[６]」で「平板（箱底）１１に連設された縁片１２〜１５に、その外面に重なる折り返し片１６〜１９を設けてこの折り返し片１６〜１９を切欠いたものであり、棚板の周壁の基本構成が本件特許とは逆の関係にある。
　そこで問題は、甲第３〜５号証に甲第２号証を適用することができるか否かであるが、請求人は、甲第２号証は、『２枚重ね構造のうちの外側の部分を切欠く』という思想を包含していると思料するものであり、してみると、甲第２号証の教示に従って甲第３〜５号証の外側の部分を切欠くことは容易であると思料する。」と主張したので、その主張について検討する。
　
(b)まず、甲第２号証には、前記「１．（１）イ．」の記載事項（ア）〜（キ）が記載されており、そのうち「切欠」に関しては記載事項（ウ）に「折り返し部分を四隅のかどで切欠して、折り返し部分の切欠端が丁度支柱の側面に当たるようにしておく」と記載され、記載事項（キ）に縁片１２〜１５の外面に重なる折り返し片１６〜１９を切欠いた構成が記載されている。
　しかし、いずれも、外面に重なる「折り返し部分」を切欠くもの、すなわち、四辺から見て外側を切欠いた構成であり、甲第３号証記載の発明や本件発明１の様な折り返し部分は内方に位置し、外面は「折り返し部分」で無い形式のものも包含する一般的概念として「２枚重ね構造のうちの外側の部分を切欠く」という思想が記載されていたといえるものではない。
　そうすると、前記請求人の主張は採用出来るものではない。
　
(c)そして、甲第２号証記載の発明が、相違点２に係る「各側壁が箱底のかどから支柱の幅の長さ分だけ切欠された形状に金属板を打ち抜き、内接片を折り返して側壁に重ね合わせるとともに、内接片が箱の内側へくるように側壁を起立させて浅い箱状体とした」棚板を前提とする「側壁の切欠部内に延出している内接片を支柱の内側に当接し、切欠によって作られた側壁の側面で支柱の両側面を挟み、内接片を支柱にボルトにより固定する」構成を有するものではなく、さらに、下記（ウ）記載の様に、甲第８号証記載の発明１及び２においても同様である以上、甲第３号証の金属製棚に、甲第２号証記載の発明を適用して本件発明１の相違点２に係る発明特定事項とすることが当業者が容易に想到し得たということはできない。
　なお、「本件第１発明及び本件第２発明は、・・甲第３・・号証の周知技術に甲第２号証及び甲第８号証を組み合わせることでも、容易に想到できたものである。」については、下記（カ）参照。
　
　（エ）請求人の甲第８号証に係る主張について
(a)請求人は、
　(a1)審判請求書の「７．(4).(4-６).」で「本件第１発明及び本件第２発明は、甲第３〜５号証に例示されている周知の棚に甲第８号証を適用することで容易に相当できたものである。」と主張し、
　(a2)また、平成２４年１１月１日付け口頭審理陳述要領書の「６　（３）[4]」で「甲第８号証のうち第７〜９図の実施例には本件特許の構成Ｅに相当する構成は図面にも明細書にも明記されておらず、この点は御庁の認定のとおりであるが、周壁のうち内側に位置した部分が支柱に固定されていないと棚として成立しないので、詳細な構造は不明であるが、本件特許の内接片に相当する部分が切欠部内に延出して支柱の内面に当接していること自体は容易に推測できると思料する。
　また、そもそも甲第８号証において重要なことは、本件特許の側壁に相当する部分を切欠いて、その側面を支柱の側面に当接することで傾きを防止しているという思想であり、かかる思想を甲第３〜５号証に適用することに特段の困難性はないと思料する。」と主張したので、その主張について検討する。
　
(b)まず、甲第８号証には、前記「１．（１）カ．」の記載事項（ア）〜（コ）が記載されているが、それらに記載されている「コーナー壁１４」は、その第１コーナー片１４ａ（第１左側片１２ａ及び第１右側片１３ａに連接して外側の面となる片であって、本件発明１の「側壁」に対応するものであって、「内接片」に対応するものではない。）が、「金属製支柱１」と当接する構成であり、相違点２の側壁の内側の板が「内接片」であり、棚板と支柱との固定は「側壁の切欠部内に延出している内接片を支柱の内側に当接し・・・固定する」構成を備えるものではない。
　そして、甲第８号証記載の発明１及び２の組立用整理棚は、第１コーナー片１４ａが支柱１及び１’の内側に当接した状態で、棚板と支柱とが固定されるものであり、第２コーナー片１４ｂ（第２左側片１２ｂ及び第２右側片１３ｂに連接して内側の面となる片であって、本件発明１の「内接片」と、側壁の「内側の板」である点で共通するもの）が、支柱１及び１’の内側に当接しているといえるようなものではなく、甲第８号証に「本件特許の側壁に相当する部分を切欠いて、その側面を支柱の側面に当接することで傾きを防止しているという思想」が記載されているといえるようなものでもない。
　
(c)そして、甲第８号証記載の発明１及び２が、相違点２に係る「各側壁が箱底のかどから支柱の幅の長さ分だけ切欠された形状に金属板を打ち抜き、内接片を折り返して側壁に重ね合わせるとともに、内接片が箱の内側へくるように側壁を起立させて浅い箱状体とした」棚板を前提とする「側壁の切欠部内に延出している内接片を支柱の内側に当接し、切欠によって作られた側壁の側面で支柱の両側面を挟み、内接片を支柱にボルトにより固定する」構成を有するものではない以上、甲第３号証の金属製棚に、甲第８号証記載の発明を適用して、本件発明１の相違点２に係る発明特定事項とすることが当業者が容易に想到し得たということはできない。
　
　（オ）請求人の甲第９号証に係る主張について
(a)請求人は、
　(a1)審判請求書の「７．(4).(4-7).」で「本件両発明は、甲第３〜５号証の周知例に甲第９号証を単独で適用することにより、又は、甲第３〜５号証の周知例に甲第９号証と甲第８号証とを適用することにより、容易に想到できたものでもある。」と主張し、
　(a2)また、平成２４年１１月１日付け口頭審理陳述要領書の「６　（３）[5]」で「甲第９号証も棚である点で甲第３〜５号証と共通しており、スカート１０を構成する外側の部分を切欠いて外側の部分で支柱を挟むという構成を甲第３〜５号証に適用することに阻害要因があるとは考えられない。すなわち、甲第９号証にボルト締結が記載されていないことは、甲第９号証を甲第３〜５号証に適用することの障害にはならないと思料する。」と主張したので、その主張について検討する。
　
(b)上記主張について検討する。
　(b1)まず、甲第９号証には、前記「１．（１）キ．」の記載事項（ア）〜（イ）が記載されているが、甲第９号証記載事項（イ）の棚アセンブリ８（本件発明１の「金属製棚板」と「棚板」の点で共通するもの）と隅柱アセンブリ１（本件発明１の「支柱」に相当するもの）との「固定」は、「アーム６、７が、スカート部分の２層からなる厚さによってもたらされる保持スリーブに収容される」ことでなされるものであり、相違点２の棚板と支柱との固定は「・・・内接片を支柱にボルトにより固定する」構成を備えるものではない。
　なお、甲第９号証記載事項（ア）の「アーム６および７を省略してもよい。」とされた構成は、各図を参酌しても、隅柱アセンブリを棚アセンブリに結合する具体的構成が特定できない。
　そうすると、甲第３号証記載の発明の棚板２を支柱１に固定する手法である「棚板２の側板１０の側端部に設けた取付孔１３を用いてピン１１を介して棚板２が支柱１に係止される」構成を、甲第９号証記載事項（イ）の「アーム６、７が、スカート部分の２層からなる厚さによってもたらされる保持スリーブに収容されることで棚アセンブリ８を隅柱アセンブリ１により固定した」に置換したとすると、置換により甲第３号証記載の発明の「ピン１１」（本件発明１の「ボルト」と、「固定手段」である点で共通するもの）は、必要なくなるものであって、結局、本件発明１の相違点２に係る発明特定事項が導き出されるものとはならない。
　(b2)また、甲第９号証記載事項（イ）の「スカート外側部分１０ａ」（本件発明１１の「側壁」に相当するもの）は、「支持面９の尖った角から、スカート外側部分１０ａが少なくとも組立に支障が生じないだけは切欠された形状にされ」（結果的に本件発明１の金属板が「箱底のかどから支柱の幅の長さ分だけ切欠された形状」に打ち抜かれたことと、箱底のかどから支柱の幅の長さ分だけ切欠された形状」となる点で共通するもの）たものであるものの、甲第９号証の記載事項から上記「少なくとも組立に支障が生じないだけ」の「切欠」が、「スカート１０を構成する外側の部分を切欠いて外側の部分で支柱を挟む」という意図のものであるといえるものではない。
　そうすると、請求人の主張は、甲第９号証の記載事項から前記(b1)の「アーム６、７が、スカート部分の２層からなる厚さによってもたらされる保持スリーブに収容されることで棚アセンブリ８を隅柱アセンブリ１により固定した」基本構成を切り捨てるとともに、他方、上記甲第９号証の記載事項からいえない「スカート１０を構成する外側の部分を切欠いて外側の部分で支柱を挟む」ということを根拠として、当該事項のみを都合良く甲第３号証記載の発明に置換、または付加して、本件発明１の構成にするのが容易と言うものとなり、そのような論理で、本件発明１の相違点２に係る発明特定事項が容易に導き出されたとすることは出来ない。
(b3)さらに、前記「１．（１）カ．」の甲第８号証の記載事項（ア）〜（コ）を参酌しても、甲第３号証記載の発明に甲第９号証と甲第８号証とを適用することにより、本件発明１の相違点２に係る発明特定事項とすることが当業者が容易に想到し得るという、客観性のある論理は発見できない。
　
(c)そして、甲第９号証記載の事項が、相違点２に係る「各側壁が箱底のかどから支柱の幅の長さ分だけ切欠された形状に金属板を打ち抜き、内接片を折り返して側壁に重ね合わせるとともに、内接片が箱の内側へくるように側壁を起立させて浅い箱状体とした」棚板を前提とする「側壁の切欠部内に延出している内接片を支柱の内側に当接し、切欠によって作られた側壁の側面で支柱の両側面を挟み、内接片を支柱にボルトにより固定する」構成を有するものではなく、さらに、上記（エ）記載の様に、甲第８号証記載の発明１及び２においても同様である以上、甲第３号証の金属製棚に、第９号証を単独で適用することにより、本件発明１の相違点２に係る発明特定事項とすることが当業者が容易に想到し得たということはできない。
　なお、「本件両発明は、・・甲第３・・号証の周知例に甲第９号証と甲第８号証とを適用することにより、容易に想到できたものでもある。」については、下記（カ）参照。
　
　（カ）甲第１，６，７，１０〜１２号証の３の１〜３の４、及び「甲第３・・号証の周知技術に甲第２号証及び甲第８号証を組み合わせることでも、容易」、「甲第３・・号証の周知例に甲第９号証と甲第８号証とを適用することにより、容易」に関して
(a)甲第１号証には、従来の技術に、強度の点で問題があったことが開示され、
甲第６，７号証には、素材板の端から順に曲げ加工していく周知技術が開示され、
甲第１０，１１号証には、キャスタは単なるオプション品に過ぎないことが開示され、
甲第１２号証の１〜２には、支柱側面突き合わせ型の構成が、ぐらつきが無く、非常に堅牢ある事が開示され、
甲第１２号証の３の１〜３の４には、甲第１２号証には、ワゴンの全体、及び、支柱、そのの裏側に当接する金具と付記された部品、支柱の両側面に突き合わせられた外側の部分と付記された２つの部分、箱底と付記された部分、支柱−外側の部分と付記された２つの部品間に存在する切欠と付記された線からなる棚板コーナー部が写されている。
　
(b)しかし、相違点２に係る「各側壁が箱底のかどから支柱の幅の長さ分だけ切欠された形状に金属板を打ち抜き、内接片を折り返して側壁に重ね合わせるとともに、内接片が箱の内側へくるように側壁を起立させて浅い箱状体とした」棚板を前提とする「側壁の切欠部内に延出している内接片を支柱の内側に当接し、切欠によって作られた側壁の側面で支柱の両側面を挟み、内接片を支柱にボルトにより固定する」構成は、甲第１〜１２号証の３の３の４のいずれにも記載も示唆もされていない。
　そうすると、第１〜１２号証の３の４すべてを参酌しても、甲第３号証の周知技術に甲第２号証を組み合わせて、または、甲第３号証の周知技術に甲第２号証及び甲第８号証を組み合わせて、または、甲第３号証の金属製棚に甲第８号証を単独で適用して、または、甲第３号証の金属製棚に甲第９号証単独で適用して、または、甲第３号証の金属製棚に甲第２号証を単独で適用して、または、甲第３号証の金属製棚に甲第８号証又は甲第９号証若しくは甲第２号証を組み合わせて適用して、本件発明１の相違点２に係る発明特定事項とすることが当業者が容易に想到し得たということもできない。
　
　ウ．まとめ
　したがって、本件発明１は、甲第３号証の金属製棚に、甲第８号証又は甲第９号証若しくは甲第２号証を単独で又は組み合わせて適用することで容易に発明できたものであるとはいえない。
　
　
２．無効理由２について
（１）甲第１〜１２号証の３の４の記載事項
　甲第１〜１２号証の３の４には、図面とともに上記１．（１）の記載事項が記載されている。
　そして、甲第３号証には、少なくとも前記甲第３号証記載の発明が記載されていると認められる。
　
（２）対比・判断
　本件発明２は、本件発明１の「固定することを特徴とする、金属製棚」の部分を、「固定し、各支柱の下方にキャスターを付設して金属製棚を移動可能としたことを特徴とする、金属製ワゴン」に変更した発明であり、本件発明２と甲第３号証記載の発明とを対比すると、
　
　一致点：
　両者は「複数枚の直角四辺形の金属製棚板と、山形鋼で作られた４本の支柱とからなり、各棚板の四隅のかど部を支柱の内側面に当接し、固定して組み立てることとした金属製棚において、上記棚板は直角四辺形の箱底の四辺に側壁と内側の板とがこの順序に連設されていて、内側の板を折り返して側壁に重ね合わせるとともに、内側の板が箱の内側へくるようにして浅い箱状体としたものであって、棚板の外側面を支柱の内側に当接し、棚板の外側面を支柱にした金属製棚。」
で一致し、
　
　相違点：
　両者は、上記１．（２）の「相違点１」、「相違点２」及び、
　相違点３：本件発明２は、金属製棚が「各支柱の下方にキャスターを付設して金属製棚を移動可能とした金属製ワゴン」であるのに対し、甲第３号証記載の発明はそうでない点で相違する。
　
　そして、上記１−１．（３）に記載したのと同様に、第１〜１２号証の３の４すべてを参酌しても、「本件特許の請求項２に係る発明は、本件の請求項１に係る発明と同じ理由で容易に発明できたもの」とはいえないから、相違点３について検討するまでもなく、本件発明２は、甲第３号証の金属製棚に、甲第８号証又は甲第９号証若しくは甲第２号証を単独で又は組み合わせて適用することで容易に発明できたものであるとはいえない。
　
　第４　むすび　
　以上のとおり、請求人の主張及び証拠方法によっては、本件発明１，２の特許を無効とすることができない。
　審判に関する費用については、特許法第１６９条第２項の規定において準用する民事訴訟法第６１条の規定により、請求人が負担すべきものとする。
　
　よって、結論のとおり審決する。